(57)【要約】【課題】コンテンツに対する操作を適切に行うことが可能な技術を提供する。【解決手段】コンテンツを出力するコンテンツ出力システムであって、コンテンツデータを有する複数の携帯端末と、前記複数の携帯端末と通信可能な状態で接続され、該携帯端末からコンテンツデータを取得して、当該コンテンツを出力するコンテンツ出力装置と、を備え、前記コンテンツ出力装置は、コンテンツの制御要求を入力すると、前記複数の携帯端末に対してコンテンツの制御信号を送信し、前記複数の携帯端末のうちいずれか１つの携帯端末が、前記制御信号に基づく処理を実行する。【選択図】図１
2015106775.tif 000002
【特許請求の範囲】
【請求項１】
コンテンツを出力するコンテンツ出力システムであって、
コンテンツデータを有する複数の携帯端末と、
前記複数の携帯端末と通信可能な状態で接続され、該携帯端末からコンテンツデータを取得して、当該コンテンツを出力するコンテンツ出力装置と、を備え、
前記コンテンツ出力装置は、コンテンツの制御要求を入力すると、前記複数の携帯端末に対してコンテンツの制御信号を送信し、
前記複数の携帯端末のうちいずれか１つの携帯端末が、前記制御信号に基づく処理を実行することを特徴とするコンテンツ出力システム。
【請求項２】
請求項１に記載のコンテンツ出力システムにおいて、
前記複数の携帯端末の各々は、自端末が前記制御信号に基づく処理を実行する端末であるか否かを判断することを特徴とするコンテンツ出力システム。
【請求項３】
請求項２に記載のコンテンツ出力システムにおいて、
前記複数の携帯端末の各々は、コンテンツ出力装置が出力中のコンテンツを有している場合に、自端末が前記制御信号に基づく処理を実行する端末であると判断することを特徴とするコンテンツ出力システム。
【請求項４】
コンテンツを出力するコンテンツ出力システムであって、
コンテンツデータを有する複数の携帯端末と、
前記複数の携帯端末と通信可能な状態で接続され、該携帯端末からコンテンツデータを取得して、当該コンテンツを出力するコンテンツ出力装置と、を備え、
前記コンテンツ出力装置は、コンテンツの制御要求を入力すると、該要求に基づくコンテンツの制御処理を実行することを特徴とするコンテンツ出力システム。
【請求項５】
コンテンツを出力するコンテンツ出力システムであって、
コンテンツデータを有する複数の携帯端末と、
前記複数の携帯端末と通信可能な状態で接続され、該携帯端末からコンテンツデータを取得して、当該コンテンツを出力するコンテンツ出力装置と、を備え、
前記コンテンツ出力装置は、コンテンツの制御要求を入力すると、コンテンツを制御する携帯端末を前記複数の携帯端末の中から任意に選定し、該選定された携帯端末に対してコンテンツの制御信号を送信することを特徴とするコンテンツ出力システム。
【請求項６】
請求項１，４又は５に記載のコンテンツ出力システムにおいて、
前記コンテンツを制御する信号が曲送りを要求する信号であることを特徴とするコンテンツ出力システム。
【請求項７】
携帯端末から取得したコンテンツデータに係るコンテンツを、コンテンツ出力装置から出力するコンテンツ出力方法であって、
（ａ）前記コンテンツ出力装置と複数の携帯端末とを通信可能な状態で接続する工程と、
（ｂ）前記コンテンツ出力装置が、前記複数の携帯端末に対してコンテンツを制御する信号を送信する工程と、
（ｃ）前記複数の携帯端末のうちいずれか１つの携帯端末が、前記制御信号に基づく処理を実行する工程と、を有することを特徴とするコンテンツ出力方法。
【発明の詳細な説明】
【技術分野】
【０００１】
本発明は、音楽等のコンテンツを出力する技術に関する。
【背景技術】
【０００２】
従来より、携帯端末とオーディオ装置とを有線又は無線で接続し、携帯端末に保存されている音楽等のコンテンツをオーディオ装置から出力する技術が知られている。例えば、オーディオ装置が車両に搭載されている場合に、車両の搭乗者が所有する携帯端末とオーディオ装置とが無線で接続され、その携帯端末に保存されている音楽等のコンテンツをオーディオ装置から出力する技術である。また、車両内に複数の携帯端末が持ち込まれ、各々の携帯端末がオーディオ装置と無線で接続されることもあり、この場合にはいずれかの携帯端末に保存されている音楽等のコンテンツがオーディオ装置から出力される。なお、本発明と関連する技術としては、例えば、特許文献１がある。
【先行技術文献】
【特許文献】
【０００３】
【特許文献１】特開2008-21337号公報
【発明の概要】
【発明が解決しようとする課題】
【０００４】
しかしながら、複数の携帯端末がオーディオ装置と無線接続されている状態で、コンテンツの再生に関する操作が行われると、種々の問題が生じる場合があった。例えば、オーディオ装置につながる制御装置（スイッチ）から、出力中の音楽の曲送りの操作をすると、オーディオ装置から全ての携帯端末に対して曲送りの指令が送信されるため、全ての携帯端末が曲送りの操作を実行してしまう。このため、本来は１曲だけ曲送りをするように操作をした場合であっても、処理が重複してしまい、オーディオ装置と接続されている携帯端末の数だけ曲送りの操作をしてしまうという問題があった。
【０００５】
本発明は、上記課題に鑑みてなされたものであり、複数の携帯端末がオーディオ装置と接続している場合であっても、音楽等のコンテンツに対する操作を適切に行うことが可能な技術を提供することを目的とする。
【課題を解決するための手段】
【０００６】
上記課題を解決するため、請求項１の発明は、コンテンツを出力するコンテンツ出力システムであって、コンテンツデータを有する複数の携帯端末と、前記複数の携帯端末と通信可能な状態で接続され、該携帯端末からコンテンツデータを取得して、当該コンテンツを出力するコンテンツ出力装置と、を備え、前記コンテンツ出力装置は、コンテンツの制御要求を入力すると、前記複数の携帯端末に対してコンテンツの制御信号を送信し、前記複数の携帯端末のうちいずれか１つの携帯端末が、前記制御信号に基づく処理を実行するコンテンツ出力システムである。
【０００７】
また、請求項２の発明は、請求項１に記載のコンテンツ出力システムにおいて、前記複数の携帯端末の各々は、自端末が前記制御信号に基づく処理を実行する端末であるか否かを判断する。
【０００８】
また、請求項３の発明は、請求項２に記載のコンテンツ出力システムにおいて、前記複数の携帯端末の各々は、コンテンツ出力装置が出力中のコンテンツを有している場合に、自端末が前記制御信号に基づく処理を実行する端末であると判断する。
【０００９】
また、請求項４の発明は、コンテンツを出力するコンテンツ出力システムであって、コンテンツデータを有する複数の携帯端末と、前記複数の携帯端末と通信可能な状態で接続され、該携帯端末からコンテンツデータを取得して、当該コンテンツを出力するコンテンツ出力装置と、を備え、前記コンテンツ出力装置は、コンテンツの制御要求を入力すると、該要求に基づくコンテンツの制御処理を実行するコンテンツ出力システムである。
【００１０】
また、請求項５の発明は、コンテンツを出力するコンテンツ出力システムであって、コンテンツデータを有する複数の携帯端末と、前記複数の携帯端末と通信可能な状態で接続され、該携帯端末からコンテンツデータを取得して、当該コンテンツを出力するコンテンツ出力装置と、を備え、前記コンテンツ出力装置は、コンテンツの制御要求を入力すると、コンテンツを制御する携帯端末を前記複数の携帯端末の中から任意に選定し、該選定された携帯端末に対してコンテンツの制御信号を送信するコンテンツ出力システムである。
【００１１】
また、請求項６の発明は、請求項１，４又は５に記載のコンテンツ出力システムにおいて、前記コンテンツを制御する信号が曲送りを要求する信号である。
【００１２】
また、請求項７の発明は、携帯端末から取得したコンテンツデータに係るコンテンツを、コンテンツ出力装置から出力するコンテンツ出力方法であって、（ａ）前記コンテンツ出力装置と複数の携帯端末とを通信可能状態で接続する工程と、（ｂ）前記コンテンツ出力装置が、前記複数の携帯端末に対してコンテンツを制御する信号を送信する工程と、（ｃ）前記複数の携帯端末のうちいずれか１つの携帯端末が、前記制御信号に基づく処理を実行する工程と、を有するコンテンツ出力方法である。
【発明の効果】
【００１３】
請求項１ないし７の発明によれば、複数の携帯端末に対してコンテンツの制御信号を送信するため、全ての携帯端末がその制御信号に基づく処理を実行した場合には、処理が重複することとなり適切な結果が得られない場合があるものの、複数の携帯端末のうちいずれか１つの携帯端末が、制御信号に基づく処理を実行するため、処理の重複を回避して適切な操作が可能になる。また、予め制御信号に基づく処理を実行する携帯端末を判別又選定することにより、常に適切な操作を行うことが可能になる。
【図面の簡単な説明】
【００１４】
【図１】図１は、コンテンツ出力システムの概要を示す図である。
【図２】図２は、携帯端末の構成を示すブロック図である。
【図３】図３は、統合プレイリストの例を示す図である。
【図４】図４は、オーディオ装置の構成を示すブロック図である。
【図５】図５は、コンテンツ出力システムの処理を示すフローチャートである。
【図６】図６は、コンテンツ出力システムの処理を示すフローチャートである。
【図７】図７は、コンテンツ出力システムの処理を示すフローチャートである。
【図８】図８は、コンテンツ出力システムの概要を示す図である。
【発明を実施するための形態】
【００１５】
以下、図面を参照しつつ本発明の実施の形態について説明する。
【００１６】
＜１．第１の実施の形態＞
＜１−１．システムの概要＞
図１は、本実施の形態のコンテンツ出力システム１の概要を示す図である。コンテンツ出力システム１は、複数の携帯端末２（２ａ、２ｂ、２ｃ・・・）とオーディオ装置３とを含んで構成されている。また、本実施の形態では、オーディオ装置３が車両内に配置されており、複数の携帯端末２（２ａ、２ｂ、２ｃ・・・）が車両内に持ち込まれた際に、各携帯端末２（２ａ、２ｂ、２ｃ・・・）とオーディオ装置３とが無線接続された状態を例に挙げて説明する。なお、以下においては、複数の携帯端末を一括して説明する際には「携帯端末２」と記載し、個別の携帯端末について説明する際には「携帯端末２ａ」などと記載する。
【００１７】
携帯端末２は、ユーザが所持する可搬型の電子機器であり、例えば、スマートフォン、タブレット、携帯電話等である。携帯端末２は、音楽や動画等のコンテンツデータが保存されている。また、携帯端末２は、オーディオ装置３との通信が可能な構成を有しており、このオーディオ装置３との間でデータの送受信を行うようになっている。例えば、携帯端末２は、保存している音楽や動画などのコンテンツデータをオーディオ装置３に送信する。また、携帯端末２は、オーディオ装置３から、コンテンツの再生や停止、曲送りなどの指示（コマンド）を受信する。そして、携帯端末２は、オーディオ装置３からの指示に基づいて、これらコンテンツの再生や停止、曲送りなどの処理を行う。
【００１８】
オーディオ装置３は、携帯端末２に保存されている音楽や動画等のコンテンツデータを取得してその内容を外部に出力するものである。すなわち、コンテンツデータが音楽データである場合にはスピーカ等から音を出力し、動画データである場合にはディスプレイ等に映像を表示する。また、オーディオ装置３は、車内に持ち込まれた携帯端末２との通信が可能な構成を有しており、接続された携帯端末２からコンテンツデータを取得し、また、携帯端末２に対して再生や停止、曲送りなどの指示を送信する。
【００１９】
このように、本実施の形態におけるコンテンツ出力システム１は、車両内に配置されたオーディオ装置３と、車両内に持ち込まれた複数の携帯端末２とが無線又は有線で接続されており、各種情報を送受信することで、音楽や動画などのコンテンツの再生や停止、曲送りなどの処理を可能とするシステムである。以下、コンテンツ出力システム１の構成及び処理について詳細に説明する。
【００２０】
＜１−２．携帯端末の構成＞
まず、携帯端末２の構成について説明する。図２は、携帯端末２の概略構成を示す図である。携帯端末２は、通信部２１と、記憶部２２と、制御部２３とを主に備えている。
【００２１】
通信部２１は、Ｗｉ−Ｆｉ（ワイファイ：登録商標）等による無線通信によりオーディオ装置３と通信可能な状態で接続され、かかるオーディオ装置３との間で各種データの送受信を行う。例えば、携帯端末２は、通信部２１を介してオーディオ装置３に対して音楽データなどのコンテンツデータを送信し、オーディオ装置３から曲情報のデータなどを受信する。なお、通信部２１は、Ｗｉ−Ｆｉの他、ブルートゥース（Bluetooth：登録商標）やＺｉｇＢｅｅ（ジグビー：登録商標）等の他の無線通信規格を用いてもよい。また、携帯端末２は、通信部２１を介して無線ではなく有線でオーディオ装置３と通信可能な状態で接続されていてもよい。
【００２２】
記憶部２２は、例えばフラッシュメモリなどの不揮発性の記憶装置であり、制御用のプログラム２２ａや、各種アプリケーション２２ｂ、コンテンツデータ２２ｃ、統合プレイリスト２２ｄなどが記憶されている。ユーザがアプリケーション２２ｂを操作して実行することにより、アプリケーション２２ｂの有する機能が実現される。なお、このようなアプリケーション２２ｂとしては、例えば音楽や動画の再生や停止などの処理を行うためのアプリケーションがある。
【００２３】
コンテンツデータ２２ｃは、音楽や動画などの各コンテンツに関するデータである。つまり、コンテンツデータ２２ｃは、音楽データや動画データなどである。この音楽データや動画データは、曲や映像そのもののデータの他に、タイトルやアーティスト名のデータなどを含む。なお、以下では、説明の便宜上、コンテンツデータ２２ｃとして音楽データを用いた場合を例に挙げて説明する。
【００２４】
統合プレイリスト２２ｄは、オーディオ装置３に接続している携帯端末２が有する全ての音楽データを統合したプレイリストである。すなわち、統合プレイリスト２２ｄは、オーディオ装置３に複数の携帯端末２が接続されている場合に、各携帯端末２が有する音楽データの全プレイリストを一つにまとめたものである。したがって、統合プレイリスト２２ｄは、音楽データとそれを有する携帯端末２とが対応付けられた情報となっている。
【００２５】
ここで、統合プレイリスト２２ｄについて図３を用いて具体的に説明する。図３は、統合プレイリスト２２ｄの例を示す図である。図３に示すように、統合プレイリスト２２ｄは、タイトルやアーティスト名、その音楽データを保存している場所（保存している携帯端末）などが対応付けられたリストである。保存場所は、音楽データが保存されている場所を特定できるものであればよく、その場所のＵＲＬなどを用いることもできる。また、統合プレイリスト２２ｄは、さらに、音楽データのファイル形式などのデータを含んでいてもよい。
【００２６】
図２に戻り、制御部２３は、例えば、ＣＰＵ、ＲＡＭ、及び、ＲＯＭなどを備えるマイクロコンピュータであり、携帯端末２の全体を制御する。制御部２３のＣＰＵが記憶部２２に記憶されたプログラム２２ａを実行する（プログラム２２ａに従った演算処理を行う）ことにより、制御部２３として必要な各種の機能が実現される。
【００２７】
図２に示す操作制御部２３ａ及び通信制御部２３ｂは、プログラム２２ａの実行により実現される制御部２３の機能のうちの一部である。
【００２８】
操作制御部２３ａは、オーディオ装置３から受信したコマンドの内容を判別し、その指示内容に応じた処理を実行する。つまり、操作制御部２３ａは、ユーザの操作内容に応じた処理を実行する。例えば、オーディオ装置３から音楽データの送信要求があったときは、操作制御部２３ａは、その旨を判別し、記憶部２２のコンテンツデータ２２ｃから該当する音楽データを取得する。また、操作制御部２３ｂは、オーディオ装置３から曲送り要求を受信した場合には、曲送り処理を実行する。
【００２９】
通信制御部２３ｂは、携帯端末２とオーディオ装置３との間の通信を制御する。具体的には、通信制御部２３ｂは、オーディオ装置３との間で行われるデータの送受信を制御する。例えば、オーディオ装置３から音楽データの送信要求があったときは、通信制御部２３ｂは、通信部２１を制御して、操作制御部２３ａが取得した音楽データをオーディオ装置３に送信させる。また、操作制御部２３ａが曲送りを実行した場合には、通信制御部２３ｂは、通信部２１を制御して、次に再生する曲の情報など（曲送り実行通知）をオーディオ装置３に送信させる。
【００３０】
＜１−３．オーディオ装置の構成＞
次に、オーディオ装置３について説明する。図４は、オーディオ装置３の概略構成を示す図である。オーディオ装置３は、通信部３１と、再生部３２と、出力部３３と、入力部３４と、記憶部３５と、制御部３６とを主に備えている。
【００３１】
通信部３１は、Ｗｉ−Ｆｉ等による無線通信により携帯端末２と通信可能な状態で接続され、かかる携帯端末２との間で各種データの送受信を行う。例えば、オーディオ装置３は、通信部３１を介して携帯端末２に対して曲情報のデータなどを送信し、携帯端末２から音楽データなどを受信する。また、通信部３１は、Ｗｉ−Ｆｉ以外の他の無線通信規格や有線を用いることもでき、この点は上述した携帯端末２の通信部２１と同様である。
【００３２】
再生処理部３２は、携帯端末２から取得した音楽データを再生するための信号処理を行う。携帯端末２から取得した音楽データは所定のフォーマットに圧縮されたデータであり、このままでは出力できないため、再生処理部３２は、出力部３３から出力するための出力用データに変換する。
【００３３】
出力部３３は、再生処理部３２で変換した出力用データを外部に出力する。つまり、出力部３３は、オーディオ装置３に接続されたスピーカ４１などに対して出力用データ（アナログ音声波形信号）を出力するものである。このように、出力部３３からの出力用データを、スピーカ４１を介して外部に出力することで、ユーザは音楽データを聴くことが可能になる。
【００３４】
入力部３４は、ユーザがスイッチ４２を操作した際に、その操作内容を入力するものである。例えば、ユーザが音楽の再生や停止、曲送りなどをする際にスイッチ４２を操作すると、その操作に対応する信号が入力部３４に入力される。本実施の形態では、スイッチ４２は、車両のステアリングに設けられており、ユーザ（運転者）が、携帯端末２やオーディオ装置３本体に設けられた操作釦、タッチパネル等による操作ができない運転中においても、ステアリングに設けられたスイッチ４２を操作することでオーディオ装置３の操作が可能になる。
【００３５】
記憶部３５は、例えばフラッシュメモリなどの不揮発性の記憶装置であり、制御用のプログラム３５ａや統合プレイリスト３５ｂなどが記憶されている。統合プレイリスト３５ｂは、上述したとおり、オーディオ装置３に複数の携帯端末２が接続している場合に、各携帯端末２が有する音楽データの全プレイリストを一つにまとめたものである。つまり、記憶部３５が有する統合プレイリスト３５ｂも携帯端末２が有する統合プレイリスト２２ｄと同様であり、全ての携帯端末２及びオーディオ装置３は、各々同じ統合プレイリストを有していることになる。
【００３６】
制御部３６は、例えば、ＣＰＵ、ＲＡＭ、及び、ＲＯＭなどを備えるマイクロコンピュータであり、オーディオ装置３の全体を制御する。制御部３６のＣＰＵが記憶部３５に記憶されたプログラム３５ａを実行する（プログラム３５ａに従った演算処理を行う）ことにより、制御部３６として必要な各種の機能が実現される。
【００３７】
図４に示す操作制御部３６ａ、通信制御部３６ｂ及び再生制御部３６ｃは、プログラム３５ａの実行により実現される制御部３６の機能のうちの一部である。
【００３８】
操作制御部３６ａは、ユーザがスイッチ４２を操作することで入力部３４に入力された信号から操作内容を判断する。例えば、ユーザが音楽の再生を操作した場合には、操作制御部３６ａは、再生を指示する信号を入力部３３から入力してその旨を判別する。また、操作制御部３６ａは、判断した操作内容に基づいた処理を行う。つまり、操作制御部３６ａは、通信制御部３６ｂに対して、携帯端末２に音楽データを要求するコマンドを送信する旨を指示する。また、例えば、ユーザが曲送りを操作した場合には、操作制御部３６ａは、通信制御部３６ｂに対して、携帯端末２に曲送りを要求するコマンドを送信する旨を指示する。
【００３９】
通信制御部３６ｂは、オーディオ装置３と携帯端末２との間の通信を制御する。具体的には、通信制御部３６ｂは、携帯端末２との間で行われるデータの送受信を制御する。すなわち、例えば、操作制御部３６ａから音楽データを要求するコマンドを送信する旨の指示があった場合に、通信制御部３６ｂは通信部３１を制御して各携帯端末２に対してコマンドを送信する。また、その要求に対して携帯端末２が音楽データを送信してきた際には、通信制御部３６ｂは、その音楽データを受信する制御を行う。その他、通信制御部３６ｂは、曲情報を各携帯端末２に送信するなどの制御も行う。
【００４０】
再生制御部３６ｃは、音楽等のコンテンツの再生や停止などの処理を行う。具体的には、ユーザがスイッチ４２を操作して曲の再生を指示した場合には、再生制御部３４はその曲を再生し、ユーザがスイッチ４２を操作して曲の停止を指示した場合には、再生制御部３４はその曲を停止させる。これは、曲の早送りや巻き戻し、曲送りなどをする場合であっても同様である。
【００４１】
＜１−４．システムの処理＞
次に、コンテンツ出力システム１の処理について説明する。図５は、コンテンツ出力システム１の携帯端末２及びオーディオ装置３が行う処理のフローチャートである。図５では、コンテンツ出力システム１が行う操作の１例として、曲送りを実行する際の処理について説明する。なお、本実施の形態はオーディオ装置３に複数の携帯端末２が接続した構成としているが、各携帯端末２は同様の処理を行う。このため、図５における携帯端末２の処理は、各携帯端末２の処理を示している。
【００４２】
オーディオ装置３は、電源が投入されて起動している状態において処理を開始する。そして、携帯端末２が車両内に持ち込まれると、携帯端末２とオーディオ装置３とが接続される。また、ユーザが携帯端末２又はスイッチ４２を操作することで、携帯端末２に保存されている音楽データがオーディオ装置３によって再生される。
【００４３】
この状況において、ユーザがステアリングに設けられたスイッチ４２を操作して曲送りを選択すると、オーディオ装置３は、曲送り要求の信号を受信する（ステップＳ１０）。すなわち、ステアリングに設けられたスイッチ４２の操作によって発生した曲送りの要求信号がオーディオ装置３の入力部３４に入力される。つまり、オーディオ装置３には、コンテンツの制御要求が入力されることになる。
【００４４】
オーディオ装置３は、曲送りの要求信号を受信すると、各携帯端末に対して曲送りの要求信号を送信する（ステップＳ１１）。すなわち、通信制御部３６ｂが通信部３１を制御して、オーディオ装置３に接続している全ての携帯端末２に対して曲送りの要求信号（コンテンツの制御信号）を送信する。これにより、各携帯端末２は、曲送り要求信号を受信する（ステップＳ１２）。
【００４５】
携帯端末２は、曲送り要求信号を受信すると、現在再生中の曲は自端末が有している曲であるか否かを判断する（ステップＳ１３）。以下、具体的に説明する。まず、オーディオ装置３は、携帯端末２との接続が確立されると、各携帯端末２で保存しているコンテンツのリスト（プレイリスト）を各携帯端末２から取得する。そして、オーディオ装置３は、各携帯端末２のプレイリストを１つにまとめて統合プレイリストを作成する。つまり、オーディオ装置３は、各携帯端末２が有する全コンテンツを１つのリストにまとめた統合プレイリストを作成する。そして、オーディオ装置３は、作成した統合プレイリストを各携帯端末２に対して送信する。これにより、オーディオ装置３と全ての携帯端末２とが同じ統合プレイリストを有することになる。
【００４６】
また、オーディオ装置３は、曲の再生を開始すると、その曲情報を携帯端末２に送信するようになっている。つまり、携帯端末２は、現在再生中の曲情報を取得する。そして、各携帯端末２は、曲情報と統合プレイリスト２２ｄの情報とを比較することにより、現在再生中の曲は自端末が有する曲であるか否かを判断することができる。
【００４７】
例えば、現在再生中の曲が、アーティスト「ＺＺＺＺ」のタイトル「ＢＢＢＢ」という曲である場合に、オーディオ装置３は、それらを示す曲情報を各携帯端末２に送信する。各携帯端末２は、図３に示すような統合プレイリスト２２ｄを有しているので、曲情報とこの統合プレイリスト２２ｄとを比較する。携帯端末２が端末２ａの場合、端末２ａは、曲情報と統合プレイリスト２２ｄとを比較した結果、アーティスト「ＺＺＺＺ」のタイトル「ＢＢＢＢ」という曲は自端末が有する曲であると判断する。一方、携帯端末２が端末２ｂや端末２ｃの場合、端末２ｂ及び端末２ｃは、曲情報と統合プレイリスト２２ｄとを比較した結果、アーティスト「ＺＺＺＺ」のタイトル「ＢＢＢＢ」という曲は自端末が有する曲でないと判断する。
【００４８】
図５に戻り、判断の結果、自端末が有する曲を再生している場合には（ステップＳ１３でＹｅｓ）、その携帯端末２は、曲送りを実行する（ステップＳ１４）。これは、該当する携帯端末２が、現在再生中の曲の次に再生する曲（以下、単に「次再生曲」という。）の情報を取得する処理である。具体的には、携帯端末２は、次再生曲を統合プレイリスト２２ｄから導出する。この際、携帯端末２は、次再生曲を保存している携帯端末２を特定し、その情報も導出する。
【００４９】
つまり、上記と同様に、例えば、現在再生中の曲が、アーティスト「ＺＺＺＺ」のタイトル「ＢＢＢＢ」という曲である場合に、端末２ａは、統合プレイリスト２２ｄから、次再生曲が、アーティスト「ＹＹＹＹ」のタイトル「ＣＣＣＣ」であると判断する。また、この曲データは、端末２ｂに保存されていることを特定する。
【００５０】
次いで、携帯端末２は、曲送り実行通知をオーディオ装置３に送信する（ステップＳ１５）。これは、携帯端末２が、曲送り実行処理で取得した次再生曲の情報と、その曲を再生する旨の信号とをオーディオ装置３に対して送信する処理である。次再生曲の情報とは、例えば、アーティスト名「ＹＹＹＹ」やタイトル「ＣＣＣＣ」、保存場所が端末２ｂである旨の情報などである。そして、オーディオ装置３は、曲送り実行通知を受信する（ステップＳ１６）。
【００５１】
一方、自端末が有する曲を再生していない場合には（ステップＳ１３でＮｏ）、その携帯端末２は、曲送り処理を実行せずに次の処理に進む。つまり、ステップＳ１３では、現在再生中の曲を保存している携帯端末２のみが曲送りを実行し、その他の携帯端末２は、曲送りを実行しないことになる。
【００５２】
また、オーディオ装置３は、曲送り実行通知を受信すると、次再生曲を保存している携帯端末２を特定する。特定する情報は、曲送り実行通知に含まれている。つまり、上述した例でいうと、次再生曲の情報から保存場所が端末２ｂであることを特定することができる。そして、オーディオ装置３は、その特定された携帯端末２に対して次再生曲のデータの送信を要求し、携帯端末２から次再生曲のデータを取得する。そして、オーディオ装置３は、次に再生する旨の指示がなされた曲の再生処理を実行する（ステップＳ１７）。つまり、オーディオ装置３は、端末２ｂに対して、アーティスト「ＹＹＹＹ」のタイトル「ＣＣＣＣ」の曲データの送信要求信号を送信して曲データを取得し、再生処理を実行する。
【００５３】
なお、オーディオ装置３は、曲を再生する際には、曲データの受信が不十分なために曲の再生が途中で停止してしまうことの無いように、曲の再生が可能になる程度に曲データを受信するまで再生処理を待つようにすることが好ましい。ただし、再生中の曲が終了してから次に再生する曲を再生するまでの間隔（曲送り処理を実行してから次再生曲を再生するまでの間隔など）が長すぎると、ユーザにとって利便性の悪いものとなる。
【００５４】
このため、例えば、携帯端末２が、曲データを複数のデータに分割してオーディオ装置３に送信することが好ましい。この場合、曲データを細切れにして送信するため、オーディオ装置３は、受信した部分を再生しつつ、残りの部分を受信することが可能になる。すなわち、オーディオ装置３は、再生と送受信とを並行して行うことができるため、曲と曲との間隔を短くしつつ、曲の再生が途中で停止してしまうことを回避することが可能になる。
【００５５】
次いで、オーディオ装置３は、再生する曲の情報を全ての携帯端末２に送信する（ステップＳ１８）。つまり、オーディオ装置３は、アーティスト「ＹＹＹＹ」のタイトル「ＣＣＣＣ」の曲を再生している旨の曲情報を全携帯端末２に対して送信する。そして、各携帯端末２は、オーディオ装置３から曲情報を受信し（ステップＳ１９）、受信した曲情報をディスプレイ等に表示する（ステップＳ２０）。
【００５６】
以上のように、本実施の形態では、再生中の曲を保存している携帯端末２のみが曲送りに関する処理を実行し、他の全ての携帯端末２は曲送りに関する処理を実行しない。すなわち、オーディオ装置３から全ての携帯端末２に対して曲送り要求が送信されたとしても、現在再生中の曲を有する携帯端末２のみが曲送りを実行する。このため、複数の携帯端末２が曲送りを実行してしまうことを回避することができる。その結果、誤った数の曲送りをしてしまうことを防止し、適切な操作を行うことが可能になる。
【００５７】
＜２．第２の実施の形態＞
次に、第２の実施の形態について説明する。第１の実施の形態では、オーディオ装置３が曲送り要求を全ての携帯端末２に送信し、再生中の曲を保存している携帯端末２が曲送り処理を実行する構成について説明した。ただし、本発明はこれに限定されるものではなく、オーディオ装置３自身が、曲送りの処理を実行する構成としてもよい。以下、この構成及び処理について説明する。
【００５８】
＜２−１．システムの構成及び処理＞
第２の実施の形態に係るコンテンツ出力システム１も第１の実施の形態と同様に携帯端末２とオーディオ装置３とを備えている。これら第２の実施の形態に係る携帯端末２及びオーディオ装置３の構成は、図２及び図４に示す第１の実施の形態に係る各構成と同様の構成である。ただし、本実施の形態では、オーディオ装置３が曲送りの処理も実行している点が、本実施の形態と第１の実施の形態とが相違する点である。
【００５９】
第２の実施の形態に係るコンテンツ出力システム１の処理について説明する。図６は、第２の実施の形態に係るコンテンツ出力システム１の処理を示すフローチャートである。
【００６０】
第２の実施の形態においても、オーディオ装置３は、電源が投入されて起動している状態において処理を開始する。そして、携帯端末２が車両内に持ち込まれると、携帯端末２とオーディオ装置３とが接続される。また、ユーザが携帯端末２又はスイッチ４２を操作することで、携帯端末２に保存されている音楽データがオーディオ装置３によって再生される。
【００６１】
この状況において、ユーザがステアリングに設けられたスイッチ４２を操作して曲送りを選択すると、オーディオ装置３は、曲送り要求の信号を受信する（ステップＳ２１）。すなわち、ステアリングに設けられたスイッチ４２の操作によって発生した曲送りの要求信号がオーディオ装置３の入力部３４に入力される（コンテンツの制御要求が入力される）。
【００６２】
そして、オーディオ装置３は、曲送りの要求信号を受信すると、曲送りの処理を実行する（ステップＳ２２）。つまり、コンテンツの制御処理を実行する。これは、オーディオ装置３が、現在再生中の曲の次に再生する曲（次再生曲）の情報を取得する処理である。具体的には、オーディオ装置３は、次再生曲を統合プレイリスト３５ｂから導出する。この際、オーディオ装置３は、次再生曲を保存している携帯端末２を特定し、その情報も導出する。
【００６３】
つまり、第１の実施の形態と同様に、例えば、現在再生中の曲が、端末２ａが有する、アーティスト「ＺＺＺＺ」のタイトル「ＢＢＢＢ」という曲である場合に、オーディオ装置３は、統合プレイリスト３５ｂから、次再生曲が、アーティスト「ＹＹＹＹ」のタイトル「ＣＣＣＣ」であると判断する。また、この曲データは、端末２ｂに保存されていることを特定する。
【００６４】
次いで、オーディオ装置は、次に再生する曲を保存している携帯端末２に対して、曲のデータの送信を要求し、携帯端末２から曲のデータを取得する。そして、オーディオ装置３は、次に再生する旨の指示がなされた曲の再生処理を実行する（ステップＳ２３）。つまり、オーディオ装置３は、端末２ｂに対して、アーティスト「ＹＹＹＹ」のタイトル「ＣＣＣＣ」の曲データの送信要求信号を送信して曲データを取得し、再生処理を実行する。
【００６５】
そして、オーディオ装置３は、再生した曲の情報を全ての携帯端末２に送信する（ステップＳ２４）。つまり、オーディオ装置３は、アーティスト「ＹＹＹＹ」のタイトル「ＣＣＣＣ」の曲を再生している旨の曲情報を全携帯端末２に対して送信する。そして、各携帯端末２は、オーディオ装置３から曲情報を受信し（ステップＳ２５）、受信した曲情報をディスプレイ等に表示する（ステップＳ２６）。
【００６６】
以上のように、本実施の形態では、オーディオ装置３で曲送りの処理を実行しているため、曲送り要求の信号を全ての携帯端末２に送信する必要がなくなる。また、携帯端末２側で曲送り処理を実行する必要もなくなるため、曲送り実行通知の送受信も不要になる。このため、複数の携帯端末２が曲送りを実行してしまうことを回避することができると共に、各携帯端末２及びオーディオ装置３の処理負荷を軽減することができる。
【００６７】
＜３．第３の実施の形態＞
次に、第３の実施の形態について説明する。第１の実施の形態では、オーディオ装置３が曲送り要求を全ての携帯端末２に送信し、再生中の曲を保存している携帯端末２が曲送り処理を実行する構成について説明した。本実施の形態では、オーディオ装置３が、曲送りを実行する携帯端末２を選定し、その選定された携帯端末２に対してのみ曲送り要求を送信する構成としている。以下、この構成及び処理について説明する。
【００６８】
＜３−１．システムの構成及び処理＞
第３の実施の形態に係るコンテンツ出力システム１も第１の実施の形態と同様に携帯端末２とオーディオ装置３とを備えている。これら第３の実施の形態に係る携帯端末２及びオーディオ装置３の構成は、図２及び図４に示す第１の実施の形態に係る各構成と同様の構成である。ただし、本実施の形態では、オーディオ装置３が曲送りの処理を実行する携帯端末２の選定処理を行い、その選定された携帯端末２に対してのみ曲送り要求を送信する点が、本実施の形態と第１の実施の形態とが相違する点である。
【００６９】
第３の実施の形態に係るコンテンツ出力システム１の処理について説明する。図７は、第３の実施の形態に係るコンテンツ出力システム１の処理を示すフローチャートである。
【００７０】
第３の実施の形態においても、オーディオ装置３は、電源が投入されて起動している状態において処理を開始する。そして、携帯端末２が車両内に持ち込まれると、携帯端末２とオーディオ装置３とが接続される。また、ユーザが携帯端末２又はスイッチ４２を操作することで、携帯端末２に保存されている音楽データがオーディオ装置３によって再生される。
【００７１】
この状況において、ユーザがステアリングに設けられたスイッチ４２を操作して曲送りを選択すると、オーディオ装置３は、曲送り要求の信号を受信する（ステップＳ３０）。すなわち、ステアリングに設けられたスイッチ４２の操作によって発生した曲送りの要求信号がオーディオ装置３の入力部３４に入力される（コンテンツの制御要求が入力される）。
【００７２】
そして、オーディオ装置３は、曲送りの処理を実行する携帯端末２を選定する（ステップＳ３１）。例えば、オーディオ装置３は、現在再生中の曲を保存している携帯端末２を特定し、その携帯端末２を曲送り処理の実行端末として選定する。この場合には、オーディオ装置３は、現在再生中の曲と統合プレイリストとを比較することによって、該当する携帯端末２を特定することができる。例えば、上述した例を用いて説明すると、現在再生中の曲が、アーティスト「ＺＺＺＺ」のタイトル「ＢＢＢＢ」という曲である場合に、オーディオ装置３は、統合プレイリスト３５ｂから、その曲を保存しているのは端末２ａであることを特定し、曲送り処理の実行端末として選定する。
【００７３】
ただし、曲送り処理を実行する携帯端末２の選定方法は、これに限定されるものではない。他にも、例えば、曲送り処理の要求信号を入力する毎に任意の携帯端末２を実行端末として選定してもよいし、オーディオ装置３と最初に接続した携帯端末２を実行端末として選定するなど、予め特定の携帯端末２を実行端末として選定しておいてもよい。
【００７４】
そして、オーディオ装置３は、選定した携帯端末２に対して、曲送り要求信号を送信する（ステップＳ３２）。すなわち、通信制御部３６ｂが通信部３１を制御して、選定された携帯端末２に対して曲送り要求信号を送信する。すると、曲送りの処理を実行する端末として選定された携帯端末（以下「曲送り実行端末」という。）は、曲送り要求信号を受信する（ステップＳ３３）。
【００７５】
この曲送り要求信号の送信について具体的に説明する。オーディオ装置３から送信される信号は電波に重畳して出力されるため、厳密には各携帯端末２は信号を受信することが可能である。このため、本実施の形態では、曲送り要求信号に、曲送り実行端末の情報を付与して送信することとしている。すると、受信した各携帯端末２は、付与された端末情報を参照することで、自端末が曲送り実行端末であるか否かを判別することができる。これにより、曲送り実行端末は、自端末に対して曲送り要求信号が送信されたことを判別することができる。また、それ以外の端末が曲送り要求信号を破棄することで、実質的に曲送り実行端末に対してのみ曲送り要求信号を送信することが可能になる。
【００７６】
曲送り実行端末は、曲送り要求信号を受信すると、曲送りを実行する（ステップＳ３４）。これは、上記各実施の形態と同様に、曲送り実行端末が、現在再生中の曲の次に再生する曲（次再生曲）の情報を取得する処理である。具体的には、曲送り実行端末は、次再生曲の情報を統合プレイリストから導出する。この際、曲送り実行端末は、次に再生する曲を保存している携帯端末２を特定し、その情報も導出する。
【００７７】
次いで、曲送り実行端末は、曲送り実行通知をオーディオ装置３に送信する（ステップＳ３５）。これは、曲送り実行端末が、曲送り実行処理で取得した次再生曲の情報と、その曲を再生する旨の信号とをオーディオ装置３に対して送信する処理である。次再生曲の情報とは、例えば、アーティスト名「ＹＹＹＹ」やタイトル「ＣＣＣＣ」、保存場所が端末２ｂである旨の情報などである。そして、オーディオ装置３は、曲送り実行通知を受信する（ステップＳ３６）。
【００７８】
オーディオ装置３は、曲送り実行通知を受信すると、次再生曲を保存している携帯端末２を特定する。特定する情報は、曲送り実行通知に含まれている。つまり、上述した例でいうと、次再生曲の情報から保存場所が端末２ｂであることを特定することができる。そして、オーディオ装置３は、その特定された携帯端末２に対して次再生曲のデータの送信を要求し、携帯端末２から次再生曲のデータを取得する。そして、オーディオ装置３は、次に再生する旨の指示がなされた曲の再生処理を実行する（ステップＳ３７）。つまり、オーディオ装置３は、端末２ｂに対して、アーティスト「ＹＹＹＹ」のタイトル「ＣＣＣＣ」の曲データの送信要求信号を送信して曲データを取得し、再生処理を実行する。
【００７９】
次いで、オーディオ装置３は、再生する曲の情報を曲送り実行端末及びそれ以外の端末を含む全ての携帯端末２に送信する（ステップＳ３８）。つまり、オーディオ装置３は、アーティスト「ＹＹＹＹ」のタイトル「ＣＣＣＣ」の曲を再生している旨の曲情報を全携帯端末２に対して送信する。そして、各携帯端末２は、オーディオ装置３から曲情報を受信し（ステップＳ３９）、受信した曲情報をディスプレイ等に表示する（ステップＳ４０）。
【００８０】
以上のように、本実施の形態では、曲送り処理を実行する携帯端末２を選定するため、全ての携帯端末２に対して曲送り要求を送信する必要がなく、また、各携帯端末２が自端末が曲送り処理を実行する端末であるか否かの判断をする必要もない。このため、複数の携帯端末２が曲送りを実行してしまうことを回避することができると共に、各携帯端末２の処理負荷を軽減することが可能になる。
【００８１】
＜４．変形例＞
以上、本発明の実施の形態について説明してきたが、この発明は上記実施の形態に限定されるものではなく様々な変形が可能である。以下では、このような変形例について説明する。上記実施の形態及び以下で説明する形態を含む全ての形態は、適宜に組み合わせ可能である。
【００８２】
上記各実施の形態では、携帯端末２とオーディオ装置３とが直接通信を行う構成について説明した。ただし、本発明は、これに限定されるものではなく、携帯端末２とオーディオ装置３とが直接通信するものではなく、ルーター等の通信装置を介して通信する構成としてもよい。
【００８３】
図８は、ルーター６を介して通信する構成とした場合のコンテンツ出力システム５の概略構成を示す図である。図８に示すように、コンテンツ出力システム５は、複数の携帯端末２とオーディオ装置３とルーター６とを有しており、各携帯端末２及びオーディオ装置３は、ルーター６を介して接続されている。この場合、オーディオ装置３がルーター機能を有する通信部を備えていない場合であっても、本発明のコンテンツ出力システムを実現することが可能になる。
【００８４】
また、上記各実施の形態で説明したオーディオ装置３は、音楽等のコンテンツを再生して外部のスピーカ等に出力する構成を有していたが、これに限定されるものではない。オーディオ装置自体がスピーカやディスプレイ等を備える構成としてもよい。この場合、曲情報などの携帯端末２で表示する画面をオーディオ装置でも表示することが可能になる。
【００８５】
また、上記各実施の形態では、コンテンツの制御として曲送りを実行する際の処理について説明したが、本発明は、これに限定されるものではない。例えば、順次再生処理（曲送り操作無し）であっても同様である。具体的には、再生中の曲が終了して次の曲を再生する際に、上述した次再生曲の再生処理と同様の処理を実行することで実現可能である。また、特定の曲を指定した場合においても同様である。具体的には、次再生曲の情報を導出する携帯端末が指定された曲と、その曲を保存している携帯端末との情報を導出することで実現可能である。
【００８６】
さらに、複数曲を飛ばして再生する場合においても同様である。具体的には、飛ばす曲数に応じて上述の次再生曲の再生処理と同様の処理を実行することで実現可能である。さらに、ランダム再生する際においても同様である。この場合、ランダムに決定される次再生曲はオーディオ装置３側で決定してもよいし、次再生曲の情報を導出する携帯端末２側で決定してもよい。決定された次再生曲と、その曲を保存している携帯端末との情報を導出することで実現可能である。
【００８７】
また、上記各実施の形態では、プログラムに従ったＣＰＵの演算処理によってソフトウェア的に各種の機能が実現されると説明したが、これら機能のうちの一部は電気的なハードウェア回路により実現されてもよい。また逆に、ハードウェア回路によって実現されるとした機能のうちの一部は、ソフトウェア的に実現されてもよい。
【符号の説明】
【００８８】
１・５    コンテンツ出力システム
２    携帯端末
３    オーディオ装置
６    ルーター
【図１】
2015106775.tif 000003
【図２】
2015106775.tif 000004
【図３】
2015106775.tif 000005
【図４】
2015106775.tif 000006
【図５】
2015106775.tif 000007
【図６】
2015106775.tif 000008
【図７】
2015106775.tif 000009
【図８】
2015106775.tif 000010